(57)【要約】【課題】まつげに強力なカールを付与することができるまつげカーラーを提供する。【解決手段】プレスヘッド２と、該プレスヘッドに対して相対的に接離する方向に移動するゴム弾性パッド３とを備え、それらの間でまつげを挟んでカールを付与するまつげカーラーにおいて、上記ゴム弾性パッドのプレスヘッドに対向する側の面を、該プレスヘッドが接触する方向に対して傾斜する斜面３ａとし、この斜面には、上記プレスヘッドがゴム弾性パッドに押し込まれる際にその斜面に沿ってプレスヘッド２の先端がずれ動きながら押し込まれるようにするための傾斜を持たせる。【選択図】　　　　図１
2004089583.tif 000002
【特許請求の範囲】
【請求項１】
プレスヘッドで構成される第１の型付け部と、該プレスヘッドに対して相対的に接離する方向に移動するゴム弾性パッドで構成される第２の型付け部とを備え、それらの間でまつげを挟んでカールを付与するまつげカーラーにおいて、
上記ゴム弾性パッドのプレスヘッドに対向する側の面は、該プレスヘッドが接触する方向に対して傾斜する斜面であり、
上記斜面は、上記プレスヘッドがゴム弾性パッドに押し込まれる際にその斜面に沿ってプレスヘッド先端がずれ動きながら押し込まれる傾斜を有している、
ことを特徴とするまつげカーラー。
【請求項２】
第１の型付け部を構成するプレスヘッドが、回動自在に軸支され鋏状に開閉する一対の指掛レバーの一方に連設された二股状支持部材の先端間に設けられ、
第２の型付け部を構成するゴム弾性パッドが、上記一対の指掛レバーの他方に回動自在に連結されて上記二股状支持部材に沿って摺動するスライダー部材の先端に固定され、
一対の指掛レバーの開閉操作により上記プレスヘッドとゴム弾性パッドとが相互に接離する方向に移動するものとした、
ことを特徴とする請求項１に記載のまつげカーラー。
【請求項３】
上記斜面の傾斜角度がプレスヘッドの押し込み方向に対して３５〜７０°である、
ことを特徴とする請求項１または２に記載のまつげカーラー。
【請求項４】
上記ゴム弾性パッドが上記斜面の下方に平面または窪み面により形成される底部を有し、該底部が、ゴム弾性パッドの斜面に沿ってプレスヘッド先端がずれ動いた後に該プレスヘッドが押し込まれる位置に設けられている、
ことを特徴とする請求項１ないし３のいずれかに記載のまつげカーラー。
【発明の詳細な説明】
【０００１】
【発明の属する技術分野】
本発明は、まつげにカールを付与するまつげカーラーに関するものである。
【０００２】
【従来の技術】
まつげを第１の型付け部と第２の型付け部とで接離自在に挟み、まつげにカールを付与するまつげカーラーは従来公知である。
この従来公知のまつげカーラーは、図６に示すように、軸５３により回動自在に軸支された鋏状に開閉する一対の金属製の指掛レバー５１，５２を備え、その一方の指掛レバー５１における軸５３から先端側には二股状に延出した平行な二股状支持杆５４，５４を連設し、他方の指掛レバー５２には軸５３から若干の長さ延び出した延設部５５を設け、該延設部５５の先端に上記二股状支持杆５４，５４に沿って摺動する左右一対の金属製のリンク杆５６，５６を回動自在に連結し、上記二股状支持杆５４，５４の先端に、瞼に沿う円弧状に湾曲した第１の型付け部を構成するプレスヘッド５７を架け渡すように固着すると共に、上記一対のリンク杆５６，５６の先端に、同様に円弧状に湾曲した第２の型付け部を構成するゴム弾性パッド５９を保持するためのパッド受け５８を設けている。
【０００３】
上記プレスヘッド５７は、上記二股状支持杆５４，５４とは別体の薄い切り刃状の金属板で構成され、また、上記ゴム弾性パッド５９は、図７に示すように、上記プレスヘッド５７に対向する側の面が平坦面あるいはわずかに傾斜した表面５９ａを有するゴム弾性材で形成され、上記一対の指掛レバー５１，５２を操作して、上記パッド受け５８に保持させたゴム弾性パッド５９に上記プレスヘッド５７を押しつけ、該ゴム弾性パッド５９とプレスヘッド５７との間にまつげ６０を挟み、圧力を加えてまつげ６０にカールを付与するようにしている。
【０００４】
しかし、上記公知のまつげカーラーでは、ゴム弾性パッド５９とプレスヘッド５７との間で、ゴム弾性パッド５９に窪み６１ができるくらいの力でまつげ６０を挟圧し、それにより、まつげを一時的に屈曲状態に癖付けしてカールを付与するに過ぎないので、単純な曲げ力の付与による一時的癖付けであって、まつげ６０に長時間に亘って保持されるカールを付与することができなかった。
【０００５】
【発明が解決しようとする課題】
本発明の課題は、このような問題を解決し、単純な曲げ力の付与によることなく、プレスヘッドによりまつげをしごくような態様で弾性ゴムパッドに押付け、それにより弾性ゴムパッド側ではまつげに摩擦による張力が付与され、結果的に長時間に亘って保持されるカールを強力に付与できるようにしたまつげカーラーを提供することにある。
【０００６】
【課題を解決するための手段】
上記課題を解決するための本発明のまつげカーラーは、基本的には、プレスヘッドで構成される第１の型付け部と、該プレスヘッドに対して相対的に接離する方向に移動するゴム弾性パッドで構成される第２の型付け部とを備え、それらの間でまつげを挟んでカールを付与するまつげカーラーにおいて、上記ゴム弾性パッドのプレスヘッドに対向する側の面は、該プレスヘッドが接触する方向に対して傾斜する斜面であり、上記斜面は、上記プレスヘッドがゴム弾性パッドに押し込まれる際にその斜面に沿ってプレスヘッド先端がずれ動きながら押し込まれる傾斜を有していることを特徴とするものである。
【０００７】
上記まつげカーラーの好ましい実施形態においては、第１の型付け部を構成するプレスヘッドが、回動自在に軸支され鋏状に開閉する一対の指掛レバーの一方に連設された二股状支持部材の先端間に設けられ、第２の型付け部を構成するゴム弾性パッドが、上記一対の指掛レバーの他方に回動自在に連結されて上記二股状支持部材に沿って摺動するスライダー部材の先端に固定され、一対の指掛レバーの開閉操作により上記プレスヘッドとゴム弾性パッドとが相互に接離する方向に移動するものとして構成される。
【０００８】
上記まつげカーラーは、上記斜面の傾斜角度がプレスヘッドの押し込み方向に対して３５〜７０°であるのが適しており、また、上記ゴム弾性パッドが上記斜面の下方に平面または窪み面により形成される底部を有し、該底部が、ゴム弾性パッドの斜面に沿ってプレスヘッド先端がずれ動いた後に該プレスヘッドが押し込まれる位置に設けられているのが、より一層強力なカール付与のために有効である。
【０００９】
上記構成を有するまつげカーラーでは、ゴム弾性パッドのプレスヘッドに対向する側の面を、該プレスヘッドが接触する方向に対して傾斜する斜面とし、その斜面に、上記プレスヘッドがゴム弾性パッドに押し込まれる際にその斜面に沿ってプレスヘッド先端がずれ動きながら押し込まれる傾斜を持たせているので、まつげに対する単純な曲げ力の付与によるのではなく、上記プレスヘッドとゴム弾性パッドの斜面との間に挟み込んだまつげを、そのプレスヘッド側をしごくような態様で弾性ゴムパッドに押付け、それにより、弾性ゴムパッド側ではまつげに摩擦による張力が付与されるようにし、結果的に該まつげを押し伸ばしながら曲げることになるため、まつげをカールする力が強化されて、長時間に亘って保持されるカールをまつげに付与することができる。
【００１０】
また、上記まつげカーラーは、上記斜面の傾斜角度がプレスヘッドの押し込み方向に対して３５〜７０°であるのが、上記ゴム弾性パッドの斜面に沿ってプレスヘッドがずれながら押し込まれるに適し、更に、上記ゴム弾性パッドにおける斜面の下方の平面または窪み面により形成される底部は、上記斜面に沿ってプレスヘッド先端がずれ動いた後に該プレスヘッドが押し込まれる位置に設けているので、上記斜面においてしごくようにしながら曲げられたまつげに、最終的に従来のまつげカーラーと同様な作用によるカールも付加され、まつげに一層強力なカールを付与することができる。
【００１１】
【発明の実施の形態】
図１〜図３は本発明に係るまつげカーラーの一実施例を示している。このまつげカーラー１は、軸６により回動自在に軸支され鋏状に開閉する一対の金属製の指掛レバー４，５と、該一対の指掛レバー４，５の一方及び他方にそれぞれ設けられた第１の型付け部を構成するプレスヘッド２、及び第２の型付け部を構成するゴム弾性パッド３とを有している。
【００１２】
更に詳述すると、上記一対の指掛レバー４，５は、上記軸６から下方の操作側の部分は、指が挿入されるフィンガーホール４ｄ，５ｄを有する板状部材４ｃ，５ｃで形成されている。
上記指掛レバー４は、図１に示すように、上記軸６の先端側において左右対称形の二股状支持部材４ａ，４ｂが連設されており、該支持部材４ａ，４ｂは上記軸６の付近で二股に分かれて左右に延び、その左右間が所定の距離に広がった箇所からは平行に延び、その平行部分の先端に上記第１の型付け部を構成するところの、瞼に沿って湾曲した板状の金属製プレスヘッド２が、両支持部材の先端間に架け渡されるようにして設けられている。このプレスヘッド２は、図３に示すように、瞼に沿うように湾曲した当接面２ａの両端が、該当接面２ａの凹面とは反対側（瞼から離れる方向）に折り曲げられて上記二股状支持部材４ａ，４ｂと一体的に構成されている。
【００１３】
また、上記二股状支持部材４ａ，４ｂは、その平行に延びた部分に長手方向に沿って一対の対向する溝部１４ａ，１４ｂ（図３参照）を有しており、その溝部１４ａ，１４ｂには後述するスライダー部材８の左右の端部に設けた摺動部８ｄがそれぞれ摺動自在に挿入されている。
上記二股状支持部材４ａ，４ｂのプレスヘッド２と一体の先端部及び上記溝部１４ａ，１４ｂは板材の折曲加工により形成され、上記指掛レバー４のフィンガーホール４ｄを設けた操作部分は、上記二股状支持部材４ａ，４ｂと連なる同一形状の２つの板状部材４ｃ，４ｃで構成され、該板状部材４ｃ，４ｃは上記軸６の付近で他方の指掛レバー５を両側から挟み、軸６を介して該指掛レバー５と回動自在に連結すると共に、上記フィンガーホール４ｄの周囲付近で一体的に結合されている。
【００１４】
上記指掛レバー５は、上記軸６から若干の長さ延び出した延設部５ａと上記軸６から下方の操作部分に上記フィンガーホール５ｄを有する１枚の金属製板材で構成され、該延設部５ａの先端には上記第２の型付け部を構成するゴム弾性パッド３を保持するためのスライダー部材８が、軸１１を介して回動自在に連結されている。
上記スライダー部材８は、図１に示すように、その先端に上記湾曲したプレスヘッド２と対向するように瞼に沿って湾曲したゴム弾性パッド３を保持し、スライダー部材８を上記二股状支持部材４ａ，４ｂに沿って摺動させることにより、上記ゴム弾性パッド３を上記プレスヘッド２に接離する方向に移動できるようにしている。
【００１５】
上記スライダー部材８は、図４の（イ）〜（ニ）に示すように、瞼や頬骨付近の皮膚に当接するのに適した曲面８ｃを有する透明の合成樹脂製プレートで構成され、その中央には覗き孔８ａが形成され、その上辺には上記ゴム弾性パッド３を嵌入固定する湾曲した溝部８ｂが形成され、その側辺には二股状支持部材４ａ，４ｂの溝部１４ａ，１４ｂに挿入されて摺動する摺動部８ｄ，８ｄが形成されている。
また、上記プレスヘッド２は、図１に示すように、上記ゴム弾性パッド３と対向する側にヘッドエッジ２ｂを延出しており、上記ゴム弾性パッド３も上記ヘッドエッジ２ｂと略等しい長さを有している。
【００１６】
上記ゴム弾性パッド３は、図５の（イ）（ロ）に示すように、上記プレスヘッド２に対向する側の面に上記プレスヘッド２が接触する斜面３ａを有し、該斜面３ａの下方に平面または窪み面により形成される底部３ｂを有している。
上記斜面３ａのプレスヘッド押し込み方向に対する傾斜角度αは、プレスヘッド２がゴム弾性パッド３に押し込まれる際に、その斜面３ａに沿ってプレスヘッド２の先端がずれ動きながら押し込まれるような傾斜を有するものであり、具体的には、３５〜７０°（より適切には４５〜６０°）の傾斜角度に設定される。また、上記底部３ｂは、斜面３ａに沿ってプレスヘッド２の先端のヘッドエッジ２ｂがずれ動いた後に該プレスヘッド２が押し込まれる位置に設けられている。
【００１７】
上記構成を有するまつげカーラー１は、上記ゴム弾性パッド３が上記斜面３ａを有しているため、上記一対の指掛レバー４，５を操作して、図５の（ロ）に示すように、上記ゴム弾性パッド３に上記プレスヘッド２を押圧力Ｆ１で押しつけると、上記斜面３ａに沿って上記プレスヘッド２の先端がずれ動きながら押し込まれ、そのため、まつげ６０に対して単純な曲げ力が付与されるのではなく、上記プレスヘッド２とゴム弾性パッド３の斜面３ａとの間に挟み込んだまつげ６０を、そのプレスヘッド２側をしごくような態様で弾性ゴムパッド３に押付け、それにより、弾性ゴムパッド３側ではまつげ６０に摩擦による張力Ｆ２が付与され、結果的に該まつげを押し伸ばしながら曲げることになり、まつげをカールする力が強化されて、長時間に亘って保持されるカールをまつげに付与することができる。
【００１８】
上記プレスヘッド２が更に斜面３ａに深く押しつけられると、図５の（ロ）に示すように、上記斜面３ａの下方の平面または窪み面により形成される底部３ｂにプレスヘッド２のヘッドエッジ２ｂが押し込まれるが、これにより、斜面３ａにおいてしごくようにしながら曲げられたまつげ６０に、最終的に従来のまつげカーラーと同様な作用によるカールも付加され、まつげ６０に一層強力なカールを付与することができる。
【００１９】
上記斜面３ａの傾斜角度は、上述のように３５〜７０°（より適切には４５〜６０°）が適している。上記斜面３ａの傾斜角度が７０°より大きいと、上記斜面３ａに対してプレスヘッド２がずれることなく押し込まれるため、まつげ６０を引き伸ばす摩擦力Ｆ２が小さくなり、まつげに強力なカールを付与することができなくなる。
また、上記斜面３ａの傾斜角度が３５°より小さいと、上記プレスヘッド２が斜面３ａに対してずれやすくなるため、上記プレスヘッド２が斜面３ａ上のまつげ６０を十分にしごくことなく底部３ｂまで移動してしまい、そのためにまつげ６０を引き伸ばす摩擦力Ｆ２が小さくなり、まつげに強力なカールを付与することができなくなる。
【００２０】
本発明のまつげカーラーは、必ずしも上記実施例に限定されるものではなく、例えば、プレスヘッドとゴム弾性パッドを相対的に接離する機構として他の任意の機構を採用することができ、また、上記実施例ではスライダー部材８として図４の（イ）〜（ニ）に示すような合成樹脂製プレートで構成されたものを用いているが、スライダー部材として機能するものであるならば、図６に示すような金属製のリンク杆５６，５６で構成された従来のまつげカーラーのスライダー部材であってもよい。
【００２１】
【発明の効果】
以上に詳述した本発明によれば、まつげに強力なカールを付与することができるまつげカーラーを提供することができる。
【図面の簡単な説明】
【図１】本発明に係るまつげカーラーの一実施例を示す正面図である。
【図２】同側面図である。
【図３】同まつげカーラーをプレスヘッド側から見た拡大平面図である。
【図４】（イ）〜（ハ）は、本発明に係るまつげカーラーに用いられるスライダー部材の一実施例を示す正面図、側面図、平面図であり、（ニ）は（イ）におけるＡ−Ａ線での断面図である。
【図５】（イ）及び（ロ）は、本発明のまつげカーラーにおいて、ゴム弾性パッドがプレスヘッドに押し込まれる前の状態と押し込まれた後の状態とをそれぞれ概念的に示す断面図である。
【図６】従来公知のまつげカーラーの斜視図である。
【図７】従来公知のまつげカーラーにおいて、プレスヘッドがゴム弾性パッドに押し込まれた状態を概念的に示す断面図である。
【符号の説明】
１　　　　　まつげカーラー
２　　　　　プレスヘッド
３　　　　　ゴム弾性パッド
３ａ　　　　斜面
３ｂ　　　　底部
４，５　　　指掛レバー
４ａ，４ｂ　二股状支持部材
８　　　　　スライダー部材
【図１】
2004089583.tif 000003
【図２】
2004089583.tif 000004
【図３】
2004089583.tif 000005
【図４】
2004089583.tif 000006
【図５】
2004089583.tif 000007
【図６】
2004089583.tif 000008
【図７】
2004089583.tif 000009